(57)【要約】【課題】携帯情報端末の画像イメージをプロジェクタでスクリーンに見やすく投写させることができる表示システムを提供すること。【解決手段】第１表示システム１Ａでは、携帯電話２Ａのディスプレイ２１に表示中の画面イメージＩが画像ファイルＦとしてサーバー３にアップロードされ、サーバー３にアップロードされた画像ファイルＦがパソコン４にダウンロードされ、そのダウンロードされた画像ファイルＦに基づいて画面イメージＩがパソコン４のディスプレイ４１に表示される。すると、パソコン４に映像ケーブル６を介して接続されているプロジェクタ５が、パソコン４のディスプレイ４１に表示中の画面イメージＩをスクリーン７に投写する。【選択図】図１
2009098384.tif 000002
【特許請求の範囲】
【請求項１】
第１ディスプレイを有する携帯情報端末と、
前記携帯情報端末に接続されるサーバーと、
前記サーバーに接続されるとともに第２ディスプレイを有するクライアントと、
前記クライアントに映像ケーブルを介して接続されることによって前記クライアントの第２ディスプレイに表示中の画面イメージをスクリーンに投写するプロジェクタと、を備え、
前記携帯情報端末は、前記第１ディスプレイに表示中の画面イメージが変更される毎に以下（ａ）〜（ｂ）の各プロセスを実行する第１アプリケーション・ソフトウエアを備え、
（ａ）前記第１ディスプレイに表示中の画面イメージを画面キャプチャーして画像ファ      イルを取得し、
（ｂ）前記（ａ）で取得した画像ファイルを前記サーバーにアップロードし、
前記クライアントは、  以下（１）〜（２）の各プロセスを繰り返し実行する第２アプリケーション・ソフトウエアを備え、
（１）前記携帯情報端末から前記サーバーに新たに画像ファイルがアップロードされた      ことを確認すると、当該画像ファイルを前記サーバーからダウンロードし、
（２）前記（１）でダウンロードされた画像ファイルを前記第２ディスプレイに表示す      る、
ことを特徴とする表示システム。
【請求項２】
請求項１に記載する表示システムであって、
前記携帯情報端末は、前記第１ディスプレイ上で入力操作や軌跡表示を可能とするタッチ・スクリーンを備え、
前記携帯情報端末では、前記タッチ・スクリーンを介したタッチ入力が途切れる毎に前記（ａ）〜（ｂ）の各プロセスが実行される、ことを特徴とする表示システム。
【請求項３】
請求項１又は請求項２に記載する表示システムであって、
前記サーバーは、前記携帯情報端末と前記クライアントに無線でそれぞれ接続されている、ことを特徴とする表示システム。
【請求項４】
請求項１乃至請求項３のいずれか一つに記載する表示システムであって、
前記クライアントと前記プロジェクタの組合せを複数用意し、
前記クライアントの各々で前記（１）〜（２）の各プロセスが繰り返される、ことを特徴とする表示システム。
【発明の詳細な説明】
【技術分野】
【０００１】
本発明は、携帯情報端末の画像イメージをプロジェクタでスクリーンに投写する表示システムに関するものである。
【背景技術】
【０００２】
従来より、会議・講義・展示会・イベントなどにおいては、出席者の全員で一つのコンテンツを共有するために、プロジェクタの投写によって、そのコンテンツを大きな画面で表示させることが行われている。
【０００３】
一方、最近では、携帯電話やＰＤＡ機器などの携帯情報端末上で実行されるアプリケーションを通じて画面イメージが作成されることが多くなり、それに合わせて、その画面イメージを大きな画面で表示させる要望も多くなってきている。
【０００４】
この点、下記特許文献１には、ディスプレイに表示されている画像を外部に投写するためのプロジェクタを搭載した携帯電話が記載されている。下記特許文献１によれば、「この携帯電話は、プロジェクタを着脱可能にし、必要に応じてプロジェクタを携行すればよいので、携帯性に優れ、ディスプレイとプロジェクタの光源を共用することで、経済性も向上する」とされる。
【特許文献１】特許第３９５３９８９号明細書
【発明の開示】
【発明が解決しようとする課題】
【０００５】
しかしながら、プロジェクタは、携帯電話に搭載されるので、小型化されたものに限られ、投写距離や投写サイズ等といった投写性能に物足りなさがあり、映像の見やすさに限界があった。
【０００６】
そこで、本発明は、上述した点を鑑みてなされたものであり、携帯情報端末の画像イメージをプロジェクタでスクリーンに見やすく投写させることができる表示システムを提供することを課題とする。
【課題を解決するための手段】
【０００７】
この課題を解決するために成された請求項１に係る発明は、表示システムであって、第１ディスプレイを有する携帯情報端末と、前記携帯情報端末に接続されるサーバーと、前記サーバーに接続されるとともに第２ディスプレイを有するクライアントと、前記クライアントに映像ケーブルを介して接続されることによって前記クライアントの第２ディスプレイに表示中の画面イメージをスクリーンに投写するプロジェクタと、を備え、前記携帯情報端末は、前記第１ディスプレイに表示中の画面イメージが変更される毎に以下（ａ）〜（ｂ）の各プロセスを実行する第１アプリケーション・ソフトウエアを備え、（ａ）前記第１ディスプレイに表示中の画面イメージを画面キャプチャーして画像ファイルを取得し、（ｂ）前記（ａ）で取得した画像ファイルを前記サーバーにアップロードし、前記クライアントは、以下（１）〜（２）の各プロセスを繰り返し実行する第２アプリケーション・ソフトウエアを備え、（１）前記携帯情報端末から前記サーバーに新たに画像ファイルがアップロードされたことを確認すると、当該画像ファイルを前記サーバーからダウンロードし、（２）前記（１）でダウンロードされた画像ファイルを前記第２ディスプレイに表示する、ことを特徴とする。
【０００８】
また、請求項２に係る発明は、請求項１に記載する表示システムであって、前記携帯情報端末は、前記第１ディスプレイ上で入力操作や軌跡表示を可能とするタッチ・スクリーンを備え、前記携帯情報端末では、前記タッチ・スクリーンを介したタッチ入力が途切れる毎に前記（ａ）〜（ｂ）の各プロセスが実行される、ことを特徴とする。
【０００９】
また、請求項３に係る発明は、請求項１又は請求項２に記載する表示システムであって、前記サーバーは、前記携帯情報端末と前記クライアントに無線でそれぞれ接続されている、ことを特徴とする。
【００１０】
また、請求項４に係る発明は、請求項１乃至請求項３のいずれか一つに記載する表示システムであって、前記クライアントと前記プロジェクタの組合せを複数用意し、前記クライアントの各々で前記（１）〜（２）の各プロセスが繰り返される、ことを特徴とする。
【発明の効果】
【００１１】
すなわち、請求項１に係る発明の表示システムでは、携帯情報端末とクライアントをサーバーを介して接続し、第１アプリケーション・ソフトウエアを携帯情報端末で実行するとともに、第２アプリケーション・ソフトウエアをクライアントで実行することで、携帯情報端末の第１ディスプレイに表示中の画面イメージが画像ファイルとしてサーバーにアップロードされ、サーバーにアップロードされた画像ファイルがクライアントにダウンロードされ、そのダウンロードされた画像ファイルに基づく画面イメージがクライアントの第２ディスプレイに表示され、これによって、クライアントに映像ケーブルを介して接続されているプロジェクタが、クライアントの第２ディスプレイに表示中の画面イメージをスクリーンに投写するので、先行技術とは異なり、携帯情報端末のサイズによってプロジェクタのサイズ等が物理的に制限されることがなく、例えば、既存のプロジェクタを使用することによって、プロジェクタの投写性能を確保することができるので、携帯情報端末の画像イメージをプロジェクタでスクリーンに見やすく投写させることができる。
【００１２】
また、請求項１に係る発明の表示システムでは、上述したようにして、既存のプロジェクタを使用することが可能であり、既存のプロジェクタを設置・吊下等で固定して使用することで、プロジェクタから投写される映像に手ぶれが生じることが皆無となり、調整がし易くなる。
【００１３】
また、請求項１に係る発明の表示システムでは、携帯情報端末の第１ディスプレイに表示中の画面イメージが変更される毎に、プロジェクタがスクリーンに投写する画面イメージも変更されるので、プロジェクタに対する遠隔操作と同様な制御を携帯情報端末における表示変更を通じて行うことができる。
【００１４】
また、請求項２に係る発明の表示システムでは、携帯情報端末が有するタッチ・スクリーンを介したタッチ入力が途切れる毎に、携帯情報端末の第１ディスプレイに表示中の画面イメージが画像ファイルとしてサーバーにアップロードされ、サーバーにアップロードされた画像ファイルがクライアントにダウンロードされ、ダウンロードされた画像ファイルに基づいた画像イメージがクライアントの第２ディスプレイに表示され、これによって、クライアントに映像ケーブルを介して接続されているプロジェクタが、クライアントの第２ディスプレイに表示中の画面イメージをスクリーンに投写するので、携帯情報端末の第１ディスプレイ上でタッチ・スクリーンに対し手書きされた文字・図形などをプロジェクタでスクリーンに投写することができる。
【００１５】
また、請求項２に係る発明の表示システムでは、携帯情報端末が有するタッチ・スクリーンを介したタッチ入力が途切れる毎に、プロジェクタがスクリーンに投写する画面イメージも変更されるので、プロジェクタに対する遠隔操作と同様な制御を携帯情報端末における表示変更を通じて行うことができる。
【００１６】
また、請求項３に係る発明の表示システムでは、携帯情報端末とクライアントが無線でそれぞれサーバーに接続されていることから、その無線信号がサーバーに届く範囲内であれば、携帯情報端末とクライアントの間を非常に離すことができ、これにより、プロジェクタやスクリーンから携帯情報端末までの距離も遠くにすることができるため、携帯電話の使用位置に対する自由度が飛躍的に向上し、携帯電話のモバイル性能を十分に発揮させることができる。
【００１７】
また、請求項４に係る発明の表示システムでは、クライアントとプロジェクタの組合せが複数用意されていることから、クライアントとプロジェクタの各組合せを異なる場所にそれぞれ設置すれば、一つの携帯情報端末の第１ディスプレイに表示された画面イメージを、それぞれ離れた位置にある各スクリーンに投写させることができる。
【発明を実施するための最良の形態】
【００１８】
［１．第１表示システムの概要］
以下、本発明の実施の形態を図面を参照にして説明する。図１は、本発明の一実施の形態に係る第１表示システム１Ａの概要を示したものである。図１に示すように、本実施の形態に係る第１表示システム１Ａは、「携帯情報端末」としての携帯電話２Ａ、サーバー３、ディスプレイ４１を有するパソコン４、プロジェクタ５、及びスクリーン７等から構成される。
【００１９】
携帯電話２Ａには、ディスプレイ２１や多数の操作キー２２が設けられている。
【００２０】
また、携帯電話２Ａとサーバー３の間は、公衆通信回線などの無線ＷＬで接続されており、画像ファイルＦを転送することができる。また、パソコン４は、サーバー３からのサービスを受ける「クライアント」である。そして、サーバー３とパソコン４の間も、公衆通信回線や無線ＬＡＮなどの無線ＷＬで接続されており、画像ファイルＦを転送することができる。
【００２１】
一方、パソコン４とプロジェクタ５の間は、映像ケーブル６で接続されている。この映像ケーブル６を介して、パソコン４のディスプレイ４１に表示された画像イメージＩの映像信号が、パソコン４からプロジェクタ５に入力される。そして、プロジェクタ５は、パソコン４から入力された映像信号に基づいて、パソコン４のディスプレイ４１に表示された画像イメージＩをスクリーン７に投写することができる。
【００２２】
［２．携帯電話が実行するソフトウエアの概要］
次に、「第１アプリケーション・ソフトウエア」として、携帯電話２Ａが実行するプログラムについて、図２に示すフローチャートに基づいて説明する。携帯電話２Ａが「第１アプリケーション・ソフトウエア」を実行すると、図２に示すように、先ず、Ｓ１１において、携帯電話２Ａは、当該ソフトウエアによる初期化を行う。その後は、Ｓ１２に進む。
【００２３】
Ｓ１２では、携帯電話２Ａは、画面イメージＩを取得する。この処理では、携帯電話２Ａは、画面キャプチャーにより、携帯電話２Ａのディスプレイ２１に表示中の画面イメージＩを取得し、さらに、その取得した画像イメージＩのデータから画像ファイルＦを作成する。その後は、Ｓ１３に進む。
【００２４】
Ｓ１３では、携帯電話２Ａは、上記Ｓ１２で作成した画像ファイルＦをサーバー３にアップロードする。その後は、Ｓ１４に進む。
【００２５】
Ｓ１４では、携帯電話２Ａは、操作キー２２の入力を受け付ける。その後は、Ｓ１５に進む。
【００２６】
Ｓ１５では、携帯電話２Ａは、操作キー２２の入力が有るか否かを判定する。ここで、操作キー２２の入力がない場合（Ｓ１５：ＮＯ）には、上記Ｓ１４に戻って、上記Ｓ１４以降の処理を行う。一方、操作キー２２の入力が有る場合（Ｓ１５：ＹＥＳ）には、Ｓ１６に進む。
【００２７】
Ｓ１６では、携帯電話２Ａは、操作キー２２の入力に応じた処理を行う。この処理により、例えば、通話・通信・カメラ・所謂アプリなどの携帯電話２Ａの諸機能が実現される。このとき、実現された機能によっては、携帯電話２Ａのディスプレイ２１の画面イメージＩが更新される。その後は、Ｓ１７に進む。
【００２８】
Ｓ１７では、携帯電話２Ａは、ディスプレイ２１の画面イメージＩが更新されたか否かを判定する。ここで、画面イメージＩが更新されなかったと判定した場合（Ｓ１７：ＮＯ）には、上記Ｓ１４に戻って、上記Ｓ１４以降の処理を行う。一方、画面イメージＩが更新されたと判定した場合（Ｓ１７：ＹＥＳ）には、上記Ｓ１２に戻って、上記Ｓ１２以降の処理を行う。
【００２９】
［３．パソコンが実行するソフトウエアの概要］
次に、「第２アプリケーション・ソフトウエア」として、パソコン４が実行するプログラムについて、図３に示すフローチャートに基づいて説明する。パソコン４が「第２アプリケーション・ソフトウエア」を実行すると、図３に示すように、先ず、Ｓ１０１において、パソコン４は、当該ソフトウエアによる初期化を行う。その後は、Ｓ１０２に進む。
【００３０】
Ｓ１０２では、パソコン４は、上記Ｓ１３で携帯電話２Ａによりサーバー３にアップロードされた画像ファイルＦを、サーバー３からダウンロードする。その後は、Ｓ１０３に進む。
【００３１】
Ｓ１０３では、パソコン４は、上記Ｓ１０２でダウンロードした画像ファイルＦに基づいて画像イメージＩをディスプレイ４１に表示する。これにより、パソコン４のディスプレイ４１において、携帯電話２Ａのディスプレイ２１に表示された画面イメージＩが表示される。その後は、Ｓ１０４に進む。
【００３２】
Ｓ１０４では、パソコン４は、上記Ｓ１３で携帯電話２Ａによりサーバー３にアップロードされた画像ファイルＦが更新されたか否かを問い合わせる通信データをサーバー３に送信し、その問い合わせに対して回答した通信データをサーバー３から受信する。
【００３３】
そして、パソコン４は、Ｓ１０５に進むと、上記Ｓ１３で携帯電話２Ａによりサーバー３にアップロードされた画像ファイルＦが更新されたか否かを判定する。この判定は、上記Ｓ１０４でサーバー３から受信した通信データに基づく。ここで、画像ファイルＦの更新がなかった場合（Ｓ１０５：ＮＯ）には、上記Ｓ１０４に戻って、上記Ｓ１０４以降の処理を行う。一方、画像ファイルＦの更新があった場合（Ｓ１０５：ＹＥＳ）には、上記Ｓ１０２に戻って、上記Ｓ１０２以降の処理を行う。
【００３４】
［４．第１表示システムのまとめ］
以上詳細に説明したように、本実施の形態に係る第１表示システム１Ａでは、図１に示すように、携帯電話２Ａとパソコン４がサーバー３を介して接続されている。そして、図２のフローチャートによって示された「第１アプリケーション・ソフトウエア」が携帯電話２Ａで実行されるとともに、図３のフローチャートによって示された「第２アプリケーション・ソフトウエア」がパソコン４で実行される。
【００３５】
これにより、携帯電話２Ａのディスプレイ２１に表示中の画面イメージＩが画像ファイルＦとしてサーバー３にアップロードされ（Ｓ１３）、サーバー３にアップロードされた画像ファイルＦがパソコン４にダウンロードされ（Ｓ１０２）、そのダウンロードされた画像ファイルＦに基づいて画面イメージＩがパソコン４のディスプレイ４１に表示される（Ｓ１０３）。すると、パソコン４に映像ケーブル６を介して接続されているプロジェクタ５が、パソコン４のディスプレイ４１に表示中の画面イメージＩをスクリーン７に投写する。
【００３６】
従って、本実施の形態に係る第１表示システム１Ａでは、先行技術とは異なり、携帯電話２Ａのサイズによってプロジェクタ５のサイズ等が物理的に制限されることがない。よって、例えば、プロジェクタ５として既存のものを使用することが可能となり、これにより、プロジェクタ５の投写性能を確保することができるので、携帯電話２Ａの画面イメージＩをプロジェクタ５でスクリーン７に見やすく投写させることができる。
【００３７】
さらに、本実施の形態に係る第１表示システム１Ａでは、プロジェクタ５として既存のものを使用すれば、そのプロジェクタ５を設置・吊下等で固定して使用することができるので、先行技術とは異なり、プロジェクタ５から投写される画面イメージＩに手ぶれが生じることが皆無となり、調整が行い易くなる。
【００３８】
また、本実施の形態に係る第１表示システム１Ａでは、携帯電話２Ａのディスプレイ２１に表示中の画面イメージＩが更新されると（Ｓ１７：ＹＥＳ）、更新された画面イメージＩが画像ファイルＦとして携帯電話２Ａからサーバー３に新たにアップロードされ（Ｓ１３）、サーバー３に新たにアップロードされた画像ファイルＦがあることをパソコン４が確認すると（Ｓ１０５：ＹＥＳ）、サーバー３に新たにアップロードされた画像ファイルＦがパソコン４に新たにダウンロードされ（Ｓ１０２）、その新たにダウンロードされた画像ファイルＦに基づいて画面イメージＩがパソコン４のディスプレイ４１に表示される（Ｓ１０３）。
【００３９】
従って、携帯電話２Ａのディスプレイ２１に表示中の画面イメージＩが変更される毎に、プロジェクタ５によりスクリーン７に投写される画面イメージＩもその更新された画面イメージＩに変更されるので、プロジェクタ５に対する遠隔操作と同様な制御を携帯電話２Ａにおける表示変更を通じて行うことができる。
【００４０】
また、本実施の形態に係る第１表示システム１Ａでは、携帯電話２Ａとパソコン４が無線ＷＬでそれぞれサーバー３に接続されていることから、その無線信号がサーバー３に届く範囲内であれば、携帯電話２Ａとパソコン４の間を非常に離すことができ、これにより、プロジェクタ５やスクリーン７から携帯電話２Ａまでの距離も遠くにすることができるため、携帯電話２Ａの使用位置に対する自由度が飛躍的に向上し、携帯電話２Ａのモバイル性能を十分に発揮させることができる。
【００４１】
従って、本実施の形態に係る第１表示システム１Ａを用いれば、例えば、遠隔地からのプレゼンテーションが可能となる。
【００４２】
［５．第１表示システムの応用］
尚、本発明は上記実施の形態に限定されるものでなく、その趣旨を逸脱しない範囲で様々な変更が可能である。
例えば、図４に示すように、パソコン４とプロジェクタ５の組合せを複数用意した場合に、パソコン４とプロジェクタ５の組合せを異なる場所にそれぞれ設置すれば、一つの携帯電話２Ａのディスプレイ２１に表示された画面イメージＩを、それぞれ離れた位置にある各スクリーン７に各プロジェクタ５で投写させることができる。
【００４３】
［６．第２表示システムの概要］
次に、本発明の一実施の形態に係る第２表示システム１Ｂについて図面を参照にして説明する。図５は、本発明の一実施の形態に係る第２表示システム１Ｂの概要を示したものである。図５に示すように、本実施の形態に係る第２表示システム１Ｂは、「携帯情報端末」としてのＰＤＡ２Ｂ、サーバー３、ディスプレイ４１を有するパソコン４、プロジェクタ５、及びスクリーン７等から構成される。
【００４４】
ＰＤＡ２Ｂには、ディスプレイ２３が設けられており、さらに、ディスプレイ２３上にはタッチ・スクリーン２４が設けられている。タッチ・スクリーン２４に対してスタイラス２５や指などでタッチすることにより、ＰＤＡ２Ｂにデータを入力することができる。
【００４５】
また、ＰＤＡ２Ｂとサーバー３の間は、公衆通信回線などの無線ＷＬで接続されており、画像ファイルＦを転送することができる。また、パソコン４は、サーバー３からのサービスを受ける「クライアント」である。そして、サーバー３とパソコン４の間も、公衆通信回線や無線ＬＡＮなどの無線ＷＬで接続されており、画像ファイルＦを転送することができる。
【００４６】
一方、パソコン４とプロジェクタ５の間は、映像ケーブル６で接続されている。この映像ケーブル６を介して、パソコン４のディスプレイ４１に表示された画像イメージＩの映像信号が、パソコン４からプロジェクタ５に入力される。そして、プロジェクタ５は、パソコン４から入力された映像信号に基づいて、パソコン４のディスプレイ４１に表示された画像イメージＩをスクリーン７に投写することができる。
【００４７】
［７．ＰＤＡが実行するソフトウエアの概要］
次に、「第１アプリケーション・ソフトウエア」として、ＰＤＡ２Ｂが実行するプログラムについて、図６に示すフローチャートに基づいて説明する。ＰＤＡ２Ｂが「第１アプリケーション・ソフトウエア」を実行すると、図６に示すように、先ず、Ｓ２１において、ＰＤＡ２Ｂは、当該ソフトウエアによる初期化を行う。その後は、Ｓ２２に進む。
【００４８】
Ｓ２２では、ＰＤＡ２Ｂは、画面イメージＩを取得する。この処理では、ＰＤＡ２Ｂは、画面キャプチャーにより、ＰＤＡ２Ｂのディスプレイ２３に表示中の画面イメージＩを取得し、さらに、その取得した画像イメージＩのデータから画像ファイルＦを作成する。その後は、Ｓ２３に進む。
【００４９】
Ｓ２３では、ＰＤＡ２Ｂは、上記Ｓ２２で作成した画像ファイルＦをサーバー３にアップロードする。その後は、Ｓ２４に進む。
【００５０】
Ｓ２４では、ＰＤＡ２Ｂは、タッチ・スクリーン２４の入力を受け付ける。その後は、Ｓ２５に進む。
【００５１】
Ｓ２５では、ＰＤＡ２Ｂは、タッチ・スクリーン２４に対してタッチ中であるか否かを判定する。ここで、タッチ・スクリーン２４に対してタッチ中である場合（Ｓ２５：ＹＥＳ）には、上記Ｓ２４に戻って、上記Ｓ２４以降の処理を行う。一方、タッチ・スクリーン２４に対してタッチ中でない場合（Ｓ２５：ＮＯ）には、Ｓ２６に進む。
【００５２】
Ｓ２６では、ＰＤＡ２Ｂは、タッチ・スクリーン２４の入力に応じた処理を行う。この処理により、例えば、マルチメディア・通信・描画・所謂アプリなどのＰＤＡ２Ｂの諸機能が実現される。このとき、実現された機能によっては、ＰＤＡ２Ｂのディスプレイ２３の画面イメージＩが更新される。その後は、Ｓ２７に進む。
【００５３】
Ｓ２７では、ＰＤＡ２Ｂは、ディスプレイ２３の画面イメージＩが更新されたか否かを判定する。ここで、画面イメージＩが更新されなかったと判定した場合（Ｓ２７：ＮＯ）には、上記Ｓ２４に戻って、上記Ｓ２４以降の処理を行う。一方、画面イメージＩが更新されたと判定した場合（Ｓ２７：ＹＥＳ）には、上記Ｓ２２に戻って、上記Ｓ２２以降の処理を行う。
【００５４】
［８．パソコンが実行するソフトウエアの概要］
本実施の形態に係る第２表示システム１Ｂにおいても、「第２アプリケーション・ソフトウエア」をパソコン４が実行する。もっとも、「第２アプリケーション・ソフトウエア」として、パソコン４が実行するプログラムは、上記図３のフローチャートで示した処理と同様にして行われる。従って、その説明は、既に行ったので、省略する。
【００５５】
［９．第２表示システムのまとめ］
以上詳細に説明したように、本実施の形態に係る第２表示システム１Ｂでは、図５に示すように、ＰＤＡ２Ｂとパソコン４がサーバー３を介して接続されている。そして、図６のフローチャートによって示された「第１アプリケーション・ソフトウエア」がＰＤＡ２Ｂで実行されるとともに、図３のフローチャートによって示された「第２アプリケーション・ソフトウエア」がパソコン４で実行される。
【００５６】
これにより、ＰＤＡ２Ｂのディスプレイ２３に表示中の画面イメージＩが画像ファイルＦとしてサーバー３にアップロードされ（Ｓ２３）、サーバー３にアップロードされた画像ファイルＦがパソコン４にダウンロードされ（Ｓ１０２）、そのダウンロードされた画像ファイルＦに基づいて画面イメージＩがパソコン４のディスプレイ４１に表示される（Ｓ１０３）。すると、パソコン４に映像ケーブル６を介して接続されているプロジェクタ５が、パソコン４のディスプレイ４１に表示中の画面イメージＩをスクリーン７に投写する。
【００５７】
従って、本実施の形態に係る第２表示システム１Ｂでも、先行技術とは異なり、ＰＤＡ２Ｂのサイズによってプロジェクタ５のサイズ等が物理的に制限されることがない。よって、例えば、プロジェクタ５として既存のものを使用することが可能となり、これにより、プロジェクタ５の投写性能を確保することができるので、ＰＤＡ２Ｂの画面イメージＩをプロジェクタ５でスクリーン７に見やすく投写させることができる。
【００５８】
さらに、本実施の形態に係る第２表示システム１Ｂでも、プロジェクタ５として既存のものを使用すれば、そのプロジェクタ５を設置・吊下等で固定して使用することができるので、先行技術とは異なり、プロジェクタ５から投写される画面イメージＩに手ぶれが生じることが皆無となり、調整が行い易くなる。
【００５９】
また、本実施の形態に係る第２表示システム１Ｂでは、ＰＤＡ２Ｂが有するタッチ・スクリーン２４を介したタッチ入力が途切れる毎に（Ｓ２５：ＮＯ）、ＰＤＡ２Ｂのディスプレイ２３に表示中の画面イメージＩが画像ファイルＦとしてサーバー３にアップロードされ（Ｓ２３）、サーバー３にアップロードされた画像ファイルＦに基づいて画面イメージＩがパソコン４のディスプレイ４１に表示される（Ｓ１０３）。すると、パソコン４に映像ケーブル６を介して接続されているプロジェクタ５が、パソコン４のディスプレイ４１に表示中の画面イメージＩをスクリーン７に投写する。
【００６０】
従って、本実施の形態に係る第２表示システム１Ｂでは、ＰＤＡ２Ｂのディスプレイ２３上でタッチ・スクリーン２４に対しスタイラス２５や指などで手書きされた文字・図形などをプロジェクタ５でスクリーン７に投写することができる。
【００６１】
また、本実施の形態に係る第２表示システム１Ｂでは、ＰＤＡ２Ｂが有するタッチ・スクリーン２４を介したタッチ入力が途切れれば（Ｓ２５：ＮＯ）、ＰＤＡ２Ｂのディスプレイ２３に表示中の画面イメージＩが更新され（Ｓ２７：ＹＥＳ）、更新された画面イメージＩが画像ファイルＦとしてＰＤＡ２Ｂからサーバー３に新たにアップロードされ（Ｓ２３）、サーバー３に新たにアップロードされた画像ファイルＦがあることをパソコン４が確認すると（Ｓ１０５：ＹＥＳ）、サーバー３に新たにアップロードされた画像ファイルＦがパソコン４に新たにダウンロードされ（Ｓ１０２）、その新たにダウンロードされた画像ファイルＦに基づいて画面イメージＩがパソコン４のディスプレイ４１に表示される（Ｓ１０３）。
【００６２】
従って、ＰＤＡ２Ｂが有するタッチ・スクリーン２４を介したタッチ入力が途切れる毎に、プロジェクタ５によりスクリーン７に投写される画面イメージＩもその更新された画面イメージＩに変更されるので、プロジェクタ５に対する遠隔操作と同様な制御をＰＤＡ２Ｂにおける表示変更を通じて行うことができる。
【００６３】
また、本実施の形態に係る第２表示システム１Ｂでも、ＰＤＡ２Ｂとパソコン４が無線ＷＬでそれぞれサーバー３に接続されていることから、その無線信号がサーバー３に届く範囲内であれば、ＰＤＡ２Ｂとパソコン４の間を非常に離すことができ、これにより、プロジェクタ５やスクリーン７からＰＤＡ２Ｂまでの距離も遠くにすることができるため、ＰＤＡ２Ｂの使用位置に対する自由度が飛躍的に向上し、ＰＤＡ２Ｂのモバイル性能を十分に発揮させることができる。
【００６４】
従って、本実施の形態に係る第２表示システム１Ｂを用いれば、例えば、遠隔地からのプレゼンテーションが可能となる。
【００６５】
［１０．第２表示システムの応用］
尚、本発明は上記実施の形態に限定されるものでなく、その趣旨を逸脱しない範囲で様々な変更が可能である。
例えば、図７に示すように、パソコン４とプロジェクタ５の組合せを複数用意した場合に、パソコン４とプロジェクタ５の組合せを異なる場所にそれぞれ設置すれば、一つのＰＤＡ２Ｂのディスプレイ２３に表示された画面イメージＩを、それぞれ離れた位置にある各スクリーン７に各プロジェクタ５で投写させることができる。
【産業上の利用可能性】
【００６６】
本発明は、携帯情報端末の画像イメージをプロジェクタでスクリーンに投写する表示技術に関する。
【図面の簡単な説明】
【００６７】
【図１】本発明の一実施の形態に係る第１表示システムの概要を示した図である。
【図２】携帯電話で「第１アプリケーション・ソフトウエア」として実行されるプログラムのフローチャートを示した図である。
【図３】パソコンで「第２アプリケーション・ソフトウエア」として実行されるプログラムのフローチャートを示した図である。
【図４】本発明の一実施の形態に係る第１表示システムの概要を示した図である。
【図５】本発明の一実施の形態に係る第２表示システムの概要を示した図である。
【図６】ＰＤＡで「第１アプリケーション・ソフトウエア」として実行されるプログラムのフローチャートを示した図である。
【図７】本発明の一実施の形態に係る第２表示システムの概要を示した図である。
【符号の説明】
【００６８】
１Ａ  第１表示システム
１Ｂ  第２表示システム
２Ａ  携帯電話
２１  ディスプレイ
２２  操作キー
２Ｂ  ＰＤＡ
２３  ディスプレイ
２４  タッチ・スクリーン
３    サーバー
４    パソコン
４１  ディスプレイ
５    プロジェクタ
６    映像ケーブル
７    スクリーン
Ｆ    ファイル
Ｉ    画面イメージ
ＷＬ  無線
【図１】
2009098384.tif 000003
【図２】
2009098384.tif 000004
【図３】
2009098384.tif 000005
【図４】
2009098384.tif 000006
【図５】
2009098384.tif 000007
【図６】
2009098384.tif 000008
【図７】
2009098384.tif 000009